(57)【特許請求の範囲】
【請求項１】
平面に取り付けられる長方形の取付面と、この取付面の長辺の一方から立ち上がる第１側面とからなる本体を有し、この第１側面の端縁に対して一方の長辺で揺動可能に係合して本体を覆う長方形のカバー面と、このカバー面の他方の長辺から垂直に延び、上記本体の取付面の他方の長辺に係合するカバー側面とからなるカバー部材を備えた照明器具において、カバー側面の端縁の内側に係合突起を設けると共に、上記本体の取付面の他方の長辺の両端から所定の距離の位置に、この係合突起に係合してカバー部材を固定する係合部を形成し、さらに、本体の取付面の他方の長辺のいずれかの端部に、カバー部材のカバー面が本体から離れる方向に移動する際に上記係合突起を外側に押し出して係合突起が係合部から外れるようにするガイド部を設けたことを特徴とする照明器具。
【発明の詳細な説明】
【技術分野】
【０００１】
本発明は、台所の吊り戸棚の下面などに取り付けられる照明器具に関する。
【背景技術】
【０００２】
上記のような照明器具では、吊り戸棚の底板のような平面に取り付けられる本体と、この本体をカバーするカバー部材とを備えている場合が多い。照明器具の取り付けは配線作業を必要とするので専門業者が設置を行う。また、特に発光源としてＬＥＤを用いた照明器具では、発光源の交換の必要がほとんど無いので、使用者がカバーをむやみに開けて照明器具の内部を触れないようにすることが望まれる。
【０００３】
そのため、カバーを本体に設けた係合突起に係合させて固定するが、カバーを外すためにカバーを把持すると、その把持による力が、カバーが係合突起から外れない方向に作用するように構成することが望ましい（例えば、特許文献１参照）。
【先行技術文献】
【特許文献】
【０００４】
【特許文献１】特開平８-１４８０１５号公報（図１）
【発明の概要】
【発明が解決しようとする課題】
【０００５】
上記従来の構成では、カバーを本体から取り外しにくいという効果はあるが、照明器具に故障が生じた場合や他の照明器具に取り替えるなどのため、カバーを外す際にドライバーなどで強制的にカバーを外すと、カバーや本体が固定されている平面側に傷を付けるおそれが生じる。
【０００６】
そこで本発明は、上記の問題点に鑑み、簡単にはカバーを外すことはできないが、カバーを外す際にはカバーや周囲に傷などを付けるおそれの無い照明器具を提供することを課題とする。
【課題を解決するための手段】
【０００７】
上記課題を解決するために本発明による照明器具は、平面に取り付けられる長方形の取付面と、この取付面の長辺の一方から立ち上がる第１側面とからなる本体を有し、この第１側面の端縁に対して一方の長辺で揺動可能に係合して本体を覆う長方形のカバー面と、このカバー面の他方の長辺から垂直に延び、上記本体の取付面の他方の長辺に係合するカバー側面とからなるカバー部材を備えた照明器具において、カバー側面の端縁の内側に係合突起を設けると共に、上記本体の取付面の他方の長辺の両端から所定の距離の位置に、この係合突起に係合してカバー部材を固定する係合部を形成し、さらに、本体の取付面の他方の長辺のいずれかの端部に、カバー部材のカバー面が本体から離れる方向に移動する際に上記係合突起を外側に押し出して係合突起が係合部から外れるようにするガイド部を設けたことを特徴とする。
【０００８】
カバー部材を開ける際に指とカバー部材との間に摩擦力を生じさせるためには指でカバー部材を押さなければならない。すると、カバー側面は内側に押されることになるが、カバー側面に内側に係合突起が設けられているので、指で押す力はこの係合突起が係合部から外れない方向に作用する。そのため、通常ではカバー部材を外しづらい。一方、カバー部材の端部に開く方向の力を作用させるとガイド部が係合突起を外側に押し出して、係合突起が係合部から外れやすくなる。
【発明の効果】
【０００９】
以上の説明から明らかなように、本発明は、簡単にはカバーを外すことはできないが、カバーを外す際にはカバーや周囲に傷などを付けるおそれがない。
【図面の簡単な説明】
【００１０】
【図１】照明器具を吊り戸棚の底板に取り付けた状態を示す図
【図２】本体とカバーとを分離した状態を示す図
【図３】係合部の構造を示す断面図
【図４】カバーを開けようと把持した際の力の方向を示す図
【図５】ガイド部の構造を示す断面図
【図６】テープを補助にしてカバーを開ける状態を示す図
【発明を実施するための形態】
【００１１】
図１を参照して、１は本発明による照明器具の一例で有り、本実施の形態では台所に設けられた吊り戸棚の底板Ｓの下面に取り付けられている。この取り付けられた状態で、スイッチ１１を押し操作する毎にスイッチ１１がオン／オフして、内蔵されたＬＥＤ（図示せず）が点灯・消灯を繰り返すように構成されている。なお、Ｗは垂直な壁面である。
【００１２】
図２を参照して、上記照明器具１を構成する本体２とカバー３とを説明する。なお、この本体２内には上記ＬＥＤの他、電源部等の各種装置が内蔵されているが、説明を簡略化するため、本図および本図以降の各図においてこれら内蔵物を省略する。
【００１３】
本体２は、上記底板Ｓに取り付けられる長方形の取付面２１と、この取付面２１の長辺の一方から立ち上がる第１側面２２とで構成されている。この第１側面２２が形成されている長辺に対向する他の長辺には４個の係合部２３を設けた。この係合部２３は形成されている長辺の両端から所定距離内側に形成されている。そして、その長辺の両端にはガイド部２４が形成されている。なお、本実施の形態では両端にガイド部２４を形成したが、いずれか一方のみにガイド部２４を形成してもよい。
【００１４】
カバー３は、上記第１側面２２の端縁に対して一方の長辺で揺動可能に係合して本体２を覆う長方形のカバー面３１と、このカバー面３１の他方の長辺から垂直に延び、上記本体２の取付面２１の他方の長辺に形成した係合部２３に係合するカバー側面３２とから構成されている。なお、３０は上記スイッチ１１のための開口で有り、また、カバー３は透光性の樹脂で形成されている。
【００１５】
図３を参照して、上記カバー側面３２の端縁の内側に係合突起３３を設けた。そして、上記係合部２３を断面が「く字状」に形成したので、第１側面２２の端縁にカバー３を係合させて揺動させると、係合突起３３が外側に逃げながら係合部２３を乗り越えて、カバー３は本体２に対して固定されることになる。
【００１６】
一旦図３に示すようにカバー３が本体２に係合すると、図４に示すように、カバー３を把持してカバー３を本体２から離そうとしても、カバー３と指との間に摩擦力を発生させようと指がカバー３を押す力が、係合突起３３が係合部２３から外れない方向に作用し、また、カバー３が外れる方向に揺動することを阻止する方向に作用する。従って、図４に示すようにカバー３を指で把持してカバー３を外すことは非常に困難である。
【００１７】
一方、図５に示すように、ガイド部２４はなだらかな斜面で構成されており、カバー３が本体２に係合している状態では係合突起３３はガイド部２４に接触していない。そのため、カバー３のカバー側面３２の端部は拘束されておらず、容易に本体２から浮かすことができる。
【００１８】
そこで、図６に示すように、補助としてカバー側面３２の端部にテープＴを貼着させ、そのテープＴを引き下げると、カバー側面３２の端部が引かれた方向に移動し、さらに移動しながらガイド部２４によって外側に変形されるので、続けて最寄りの係合部２３と係合突起３３との係合が解除され、さらに連続して他の係合部２３と係合突起３３との係合が解除されていき、容易にカバー３を本体２から外すことができる。
【００１９】
なお、本発明は上記した形態に限定されるものではなく、本発明の要旨を逸脱しない範囲内において種々の変更を加えてもかまわない。
【符号の説明】
【００２０】
１  照明器具
２  本体
３  カバー
２１  取付面
２２  第１側面
２３  係合部
２４  ガイド部
３１  カバー面
３２  カバー側面
３３  係合突起
Ｓ  底板
Ｔ  テープ
【図１】
0006484888.tif 000002
【図２】
0006484888.tif 000003
【図３】
0006484888.tif 000004
【図４】
0006484888.tif 000005
【図５】
0006484888.tif 000006
【図６】
0006484888.tif 000007